Podtech/llm-jp-corpus-v4-ja_patent huggingface dataset:
(57)【要約】      （修正有）【課題】不用になった高圧缶をプレス等で圧縮したり、周囲の熱で缶の中味が膨張する時爆発、火災が起こらない様にする事。又穴あけ機等を捜す手間を省く事。【解決手段】高圧缶に穴あけ装置をとりつける事によって穴あけ機等、その他の道具を捜す手間が省け、キャップを回す事で円運動を軸運動に変える事ができるので力をあまり使わずに缶に穴をあける事ができる。これにより爆発、火災を防ぐ。【選択図】図１
2006076656.tif 000002
【特許請求の範囲】
【請求項１】
吹き出しノズル、ノズルカバー、ノズル、噴射バルブ、管、▲１▼高圧缶Ａ▲２▼リングＡ▲３▼キャップＡで構成された物。▲３▼キャップＡはすべり止めをつけた物。材質は噴射バルブ内のゴムパッキン以外はスチール製の物。
【発明の詳細な説明】
【技術分野】
【０００１】本発明は、高圧缶使用後穴を開けて缶の中を空にするための物である。［背景技術］【０００２】従来、使用後又は不用になった缶の中味は、入ったままだった。［発明の開示］［発明が解決しようとする課題］【０００３】高圧缶をプレス等で圧縮したり、周囲の熱で缶の中味が膨張したりする時爆発、火災が起こらない様にする事、又穴あけ機等を捜す手間を省く事。［課題を解決するための手段］【０００４】高圧缶に穴あけ装置をとりつける事によって、穴あけ機等その他の道具を捜す手間が省け、キャップを回すだけで缶に穴をあけ災害を防ぐ。【０００５】図１について▲１▼高圧缶Ａに、▲２▼リングＡ▲３▼キャップＡをつけた物で高圧缶使用後▲３▼キャップＡ▲２▼リングＡをとり再び▲３▼キャップＡをとりつけしめ込む。▲２▼リングＡの高さの分だけ▲３▼キャップＡが進み突起物により▲１▼高圧缶Ａの底を破る。図２について▲４▼高圧缶Ｂに▲５▼キャップＢ▲６▼カバーＡをつけた物で高圧缶使用後▲５▼キャップＢ▲６▼カバーＡをとり次に▲５▼キャップＢを逆にとりつけしめ込む。すると突起物により▲４▼高圧缶Ｂの底が破れる。突起物がとがってなければ▲６▼カバーＡはつけなくてもよいがつける場合ははめ込みやネジ等でつける。すべりどめをつけてもよい。【０００６】全体について、空気穴はキャップの底でも横でも１つ以上あける事ができる、形は星型やハート型等にもできる。キャップが簡単にはずれない様ネジロック剤を軽くつけてもよいし、ジュースキャップの様に回り止めをして封印したり点づけで溶接したり切り残しをしたり、シールでとめてもよい。キャップには開け易い様すべり止めをつける事ができる。ネジは逆ネジ、内ネジにでき、プレス加工や流し込み等で一体形成できる。突起物は、あまりにもキッチリ穴があくと蓋になってしまうので突起物に穴や溝をつけたり、ドリル状にしておけば、そのすき間から缶の中味が出る。又左右対称ではなく偏心したり不規則な形にすれば半径の違いによりそのすき間から出る。又先端に白金、ダイヤ等硬物をつける事ができる。溶接、カシメ、リベット、ネジでとめれるが、ネジの時は閉め方向のネジにする。キャップ、特に▲５▼キャップＢの接地面は、落としたり置いた時ネジ山が潰れない様ナットの様に座ぐりをしたり溶接やかしめ等で角を肉盛してもよい。高圧缶の包装は▲２▼リングＡ▲１▼高圧缶の間よりやや上で切れる様にできる。高圧缶の底のくぼみについては、センターを出し又やや薄くして穴をあけ易くするための物である。より確実に穴があく様×模様等放射線状に打刻できる。又、一度くぼみ部に穴をあけ、後から溶接をして穴をふさいだりめくら蓋をしてもよい。【０００７】ノズル、ノズルカバー、高圧缶、キャップは、動植物、アニメキャラクター、人形等色々な、形にする事によってインテリアとしても楽しめ集収する事もできる。ノズルと噴射バルブの規格を統一すれば、他の高圧缶にもつけかえ可能で統一できなくてもアタッチメントをつければ、つけかえ可能である。又、単品で売る事もできる。【０００８】材質について、ＰＳ、ＰＥ、ＰＰ、ＰＥＴ、ＰＶＣ、ＬＤＰＥ、ＨＤＰＥ  ＯＨＥＲ等熱可塑性プラスチックや熱硬化プラスチック等のプラスチッ��製、ＡＢＳ等の樹脂製紙、ガラス、アクリル、ゴム  陶磁器、又竹、藤、スギ等の木製、鉄、スチール銅、アルミニウム、ステンレス等の金属製、ビニールがある。ゴミ処理等環境の事を考えるとすべてがスチール等の金属製が望ましい。［発明の効果］【０００９】上述した様に本発明は、高圧缶に穴をあける装置をつける事で穴あけ機等の道具を捜す手間が省け、使用後の爆発、火災を防ぐ。［発明の実施するための最良の形態］【００１０】以下  本発明の実施の形態を図１で説明する。▲１▼高圧缶Ａ使用後▲３▼キャップＡ▲２▼リングＡをとり再び▲３▼キャップＡをつけて閉め込む。▲２▼リングＡの高さの分だけ▲３▼キャップＡが進み突起物により▲１▼高圧缶Ａを破る。できればはずしてから捨てる。ネジの回転運動を軸方向に変える事ができるので力を入れずに穴があく。これにより使用後の高圧缶の破裂を防ぐ。材質は、ノズル等は従来通りプラスチックでもよいがゴミ処理等環境の事を考えると噴射バルブ内のゴムパッキン以外はスチール等の金属製が望ましい。
【図面の簡単な説明】
【図１】本発明の断面図
【図２】本発明の断面図
【符号の説明】
▲１▼高圧缶Ａ▲２▼リングＡ▲３▼キャップＡ▲４▼高圧缶Ｂ▲５▼キャップＢ▲６▼カバーＡ
【図１】
2006076656.tif 000003
【図２】
2006076656.tif 000004
(57)【要約】【目的】  ペットボトル等で、飲料する直前まで「粉末」・「エキス」と「水」等を分離した状態で密封でき、飲料する直前に混ぜ合わせて、飲料出来る容器はないかと考えたものである。【構成】  蓋裏に小容器を挿入した状態の蓋で、本体容器を密封できる２容器ある蓋付き容器である。    小容器は、上面が解放され、フチ付きで蓋裏に上面を密着させ、本体容器（３）に蓋が出来る大きさや形状で、下・側面にストロー等の挿入・破断箇所（突き刺す等で破る）（５）を構成した小容器（２’）、ストロー等の挿入箇所（６）を持つ蓋（１’）、本体容器からなる２容器ある蓋付き容器で、ストロー等で破断させ、シェークして飲料出来る容器【選択図】              図５
2006076652.tif 000002
【特許請求の範囲】
【請求項１】
小容器は、上面が解放され、フチ付きで蓋裏に上面を密着させ、本体容器（３）に蓋が出来る大きさや形状（以後：小容器で大きさ等の表現は省略する）で、その側面に切り込み（４）を構成した小容器（２）、蓋（１）、本体容器からなる２容器ある蓋付き容器
【請求項２】
小容器の下・側面にストロー等の挿入・破断箇所（突き刺す等で破る）（５）を構成した小容器（２’）、ストロー等の挿入箇所（６）を持つ蓋（１’）、本体容器からなる２容器ある蓋付き容器
【請求項３】
側面に切り込み（４）を構成した小容器（２）、ストロー等の挿入箇所（６）を持つ蓋（１’）、本体容器からなる２容器ある蓋付き容器
【発明の詳細な説明】
【発明の詳細な説明】
【産業上の利用分野】
【０００１】    飲料直前に性質の違う「粉末やエキス」と「水」等を混ぜ合わせる２容器を保有する容器に関するものである。
【背景技術】
【０００２】    飲料直前まで密封され、飲料する際、「粉末やエキス」と「水」等を混ぜ合わせて飲むことが出来る容器はなかった。
【発明が解決しようとする課題】
【０００３】    ペットボトル等で、飲料する直前まで「粉末」・「エキス」と「水」等を分離した状態で密封でき、飲料する直前に混ぜ合わせて、飲料出来る容器はないかと考えたものである。
【課題を解決するための手段】
【０００４】    蓋裏に小容器を挿入した状態の蓋で、本体容器を密封できる２容器ある蓋付き容器である。
小容器は、上面が解放され、フチ付きで蓋裏に上面を密着させ、本体容器（３）に蓋が出来る大きさや形状で、その側面に切り込み（４）を構成した小容器（２）、蓋（１）、本体容器からなる２容器ある蓋付き容器で飲料の際、蓋を開け小容器を切り込みで離し、本体容器に入れ、シェークして飲料出来る容器
また、小容器の下・側面にストロー等の挿入・破断箇所（突き刺す等で破る）（５）を構成した小容器（２’）、ストロー等の挿入箇所（６）を持つ蓋（１’）、本体容器からなる２容器ある蓋付き容器で、ストロー等で破断させ、シェークして飲料出来る容器
【作用】
【０００５】  蓋を閉めた状態で、本体容器に入った流動物と小容器に入った粉末やエキス等が、分離した状態で、一つの容器に存在する。
飲料する前に
１  蓋を開けて小容器を切り込みで切り離し、本体容器内へ「小容器の内容物」を混入し、混ぜ合わせた後飲料出来る。
２  蓋を開けることなく、ストロー等で、蓋及び小容器を突き破り、小容器の「内容物」を本体容器内へ混入させ、混ぜ合わせた後に飲料出来る。
【実施例１】
【０００６】    小容器は、上面が解放され、フチ付きで蓋裏に上面を密着させ、本体容器（３）に蓋が出来る大きさや形状で、その側面に切り込み（４）を構成した小容器（２）、蓋（１）、本体容器からなる２容器ある蓋付き容器
【実施例２】
【０００７】    小容器の下・側面にストロー等の挿入・破断箇所（突き刺す等で破る）（５）を構成した小容器（２’）、ストロー等の挿入箇所（６）を持つ蓋（１’）、本体容器からなる２容器ある蓋付き容器
【実施例３】
【０００８】    側面に切り込み（４）を構成した小容器（２）、ストロー等の挿入箇所（６）を持つ蓋（１’）、本体容器からなる２容器ある蓋付き容器
【発明の効果】
【００１０】    ２容器を保有しているので、小容器と本体容器の別々の内容物を保持でき、かつ、飲料直前にそれぞれの内容物を混ぜ合わせることが出来る。
【図面の簡単な説明】
【図１】    本発明の正面図
【図２】    本発明の平面図
【図３】    実施例１の小容器の斜視図
【図４】    実施例１の蓋、小容器を使用したＡ−Ａ’の上部側の断面図
【図５】    実施例２の蓋、小容器を使用したＡ−Ａ’の上部側の断面図
【図６】    実施例３の蓋、小容器を使用したＡ−Ａ’の上部側の断面図
【符号の説明】
１  蓋
１’ストローの挿入箇所を持つ蓋
２  側面に切り込みを構成した小容器
２’下・側面にストロー等の挿入・破断箇所を構成した小容器
３  本体容器
４  切り込み
５  ストロー等の挿入・破断箇所
６  ストロー等の挿入箇所
【図１】
2006076652.tif 000003
【図２】
2006076652.tif 000004
【図３】
2006076652.tif 000005
【図４】
2006076652.tif 000006
【図５】
2006076652.tif 000007
【図６】
2006076652.tif 000008
(57)【要約】【課題】    いままでのゴム留め金具はただ単に丸くゴムを締めつけるだけの形状でしっかりと支持する力がなく強く引っ張ると抜けてしまう欠点があった。また、それを避けるために強く締めつけるとゴムが切れてしまう可能性があった。  その上、ツメ付きのものはそのツメがゴムを傷つけゴムを切ってしまう可能性があった。【解決手段】    そのような欠点を取り除くためにこの発明は金具の四方に凹みを作りゴムを十分に変形させ金具に食い込みそれでゴムをしっかりと支持し抜けにくい作りになっている。【選択図】    図２
2006145022.tif 000002
【特許請求の範囲】
【請求項１】
ゴム留め金具の周りに凹みをつけその凹みでゴムを十分に変形させ食い込むことによってゴムをしっかりと支持し抜けないようにしたゴム留め金具。
【発明の詳細な説明】
【技術分野】
【００１】      本発明はゴムの先端などに取り付けるゴムの抜け防止の金具である。
【技術背景】
【００２】      従来のこれらの金具はただ単に丸くなった金具で留めるだけのものがあった。  また、ツメを出して留めるものもあった。
【発明の開示】
【発明が解決しようとする課題】
【００３】      しかしながらこれらの金具はただ単に丸くゴムを締めつけるだけの形状でしっかりと支持する力がなく強く引っ張ると抜けてしまう欠点があった。また、それを避けるために強く締めつけるとゴムが切れてしまう可能性があった。  その上、ツメ付きのものはそのツメがゴムを傷つけゴムを切ってしまう可能性があった。
【課題を解決するための手段】
【００４】      そのような欠点を取り除くためにこの発明は金具の四方に凹みを作りゴムを十分に変形させそれでゴムをしっかりと支持する作りになっている。
【発明の効果】
【００５】      留め金具の四方に凹みがあるためにそれがゴムを程よく圧縮しゴムが十分に四角く変形し金具にしっかりと食い込み留まる。  また、強く締めつける必要がないのでゴムが切れるという心配がない。
【発明を実施するための最良の形態】
【００６】      以下、本発明の実施の形態について説明する。
金具のゴム留める金具（１）の上下左右に凹み（２）を付ける。  その状態の金具にゴム（３）を入れて留めるとゴムが金具の形状にそって変形する。  そのために強く留めなくても金具がゴムにしっかりと食い込み強く引っ張っても抜けることはない。  この凹みは別に四方に４個である必要はなく２個でも３個でもそれ以上でも必要に応じた個数で良い。
【図面の簡単な説明】
【図１】      留める前の状態
【図２】      ゴムに留めた状態
【符号の説明】
１．ゴム留め金具。
２．凹み。
３．ゴム。
【図１】
2006145022.tif 000003
【図２】
2006145022.tif 000004